(57)【要約】【課題】  文字および図表のいずれを記載する場合にも適当な用紙およびノートブックを提供する。【解決手段】  用紙２は、横罫５よりも視認し難い暗線で構成された方眼罫９が横罫５に重ねて印刷されたことで、横罫５と方眼罫９とで形成された最小の升目１０が方眼であり、横罫５が伸びる方向に隣接した各ドット罫１１，１２，１３の形状が、互いに異なり、かつ、横罫５と直交する縦方向における各ドット罫１１，１２，１３の形状が、同一である。【選択図】  図１
0003213473.tif 000002
【実用新案登録請求の範囲】
【請求項１】
文字列を記載する向きに伸びた罫と、この罫よりも視認し難い方眼罫とが重ねられ、前記罫と前記方眼罫とで形成された最小の升目が方眼である、
ことを特徴とする用紙。
【請求項２】
前記罫を等間隔に区切るドット罫が、
一方の最端の前記罫である一方最端罫、他方の最端の前記罫である他方最端罫、および、前記一方最端罫と前記他方最端罫との中間にある単一の前記罫である中間罫のみに備えられた、
ことを特徴とする請求項１に記載された用紙。
【請求項３】
前記罫が伸びる方向に隣接した前記ドット罫の形状が互いに異なり、かつ、前記罫と直交する方向における前記ドット罫の形状が同一である、
ことを特徴とする請求項２に記載された用紙。
【請求項４】
請求項１から請求項３のいずれか１項に記載された用紙の前記罫が横罫である、
ことを特徴とするノートブック。
【考案の詳細な説明】
【技術分野】
【０００１】
本考案は、文字や図形を記載するための用紙およびノートブックに関するものである。
【背景技術】
【０００２】
従来、ノートブックは、用途に応じて様々な種類があり、例えば文字を横書きする場合に適したものとして、下記特許文献１に記載された筆記用紙があり、一方、図表などを記載する場合に適したものとして、下記特許文献２に記載された理科ノートがある。
【０００３】
特許文献１に記載された筆記用紙は、横罫が印刷されているため、横罫に沿って文字を記載することで、一行の文字が整列され、綺麗な文字列を記載することができる。
【０００４】
特許文献２に記載された理科ノートは、方眼罫が印刷されているため、方眼罫に沿うことで、綺麗な図表を描くことができる。
【先行技術文献】
【特許文献】
【０００５】
【特許文献１】特開２０１２−４５９１９号公報
【特許文献２】特開２０１６−１０７５８４号公報
【考案の概要】
【考案が解決しようとする課題】
【０００６】
しかし、上記した筆記用紙は、印刷された罫が横罫のみであるため、複数行を跨いで横罫と交差する図表を綺麗に描くことが困難である。また、上記した理科ノートは、印刷された罫が方眼罫であるため、文字の大きさによっては方眼罫を跨いで文字を記載する必要があり、綺麗な文字列を記載する場合に適当ではない。すなわち、同じページに文字および図表をいずれも記載する場合に適当な用紙が望まれる。
【０００７】
本考案は、上記の実情に鑑みて提案されたものである。すなわち、文字および図表のいずれを記載する場合にも適当な用紙およびノートブックの提供を目的とする。
【課題を解決するための手段】
【０００８】
上記目的を達成するために、本考案に係る用紙は、文字列を記載する向きに伸びた罫と、この罫よりも視認し難い方眼罫とが重ねられ、前記罫と前記方眼罫とで形成された最小の升目が方眼である、ことを特徴とする。
【０００９】
本考案に係る用紙は、前記罫を等間隔に区切るドット罫が、一方の最端の前記罫である一方最端罫、他方の最端の前記罫である他方最端罫、および、前記一方最端罫と前記他方最端罫との中間にある単一の前記罫である中間罫のみに備えられた、ことを特徴とする。
【００１０】
本考案に係る用紙は、前記罫が伸びる方向に隣接した前記ドット罫の形状が互いに異なり、かつ、前記罫と直交する方向における前記ドット罫の形状が同一である、ことを特徴とする。
【００１１】
本考案に係るノートブックは、用紙の前記罫が横罫である、ことを特徴とする。
【考案の効果】
【００１２】
本考案に係る用紙は、文字列を記載する向きに伸びた罫と、この罫よりも視認し難い方眼罫とが重ねられ、罫と方眼罫とで形成された最小の升目が方眼である。すなわち、文字列を記載する場合は、罫に沿って記載することで文字が一行（または一列）に整列される。その際、方眼罫が視認し難いため、方眼罫を跨いで文字を記載しても視覚を遮ることがない。一方、図表を記載する場合は、方眼罫に沿って記載することで、罫を跨いで任意の位置に図表が描かれる。したがって、文字および図表を、いずれも綺麗に記載することができる。
【００１３】
本考案に係る用紙は、罫を等間隔に区切るドット罫が、一方の最端の罫である一方最端罫、他方の最端の罫である他方最端罫、および、一方最端罫と他方最端罫との中間にある単一の罫である中間罫のみに備えられている。すなわち、定規などを用いて、罫と直交する直線を引く場合、一方最端罫のドット罫と中間罫のドット罫、または、他方最端罫のドット罫と中間罫のドット罫に定規が当てられることで位置決めされ、用紙に直線が描かれる。その際、各最端罫と中間罫との間隔が、各最端罫同士の間隔よりも短いため、各最端罫同士の間隔よりも短い定規を用いて、各最端罫と中間罫との間に図表を描くことができる。換言すれば、一般的なペンケースに収容される定規を用いることができる。なお、仮に、ドット罫が、中間罫に存在せず、一方最端罫および他方最端罫にのみ備えられた用紙において、罫と直交する直線を引く場合、一方最端罫のドット罫および他方最端罫のドット罫のいずれにも定規を当てるために、例えば用紙がＡ４版であれば少なくとも２００ｍｍ以上の定規を用いる必要がある。このような長尺の定規は、一般的なペンケースよりも長く、ペンケースに収容することができないため、携行されない場合が多い。
【００１４】
本考案に係る用紙は、ドット罫が、三つの罫にのみ備えられているため、ドット罫が備えられていない罫に文字列を記載する際、ドット罫によって遮られることがない。したがって、文字および図表を記載しやすくすることができる。なお、仮に、ドット罫が、すべての罫に備えられていた場合、文字列を記載する際、ドット罫によって遮られ、記載し辛い場合がある。
【００１５】
本考案に係る用紙は、罫が伸びる方向に隣接したドット罫の形状が互いに異なり、かつ、罫と直交する方向におけるドット罫の形状が同一である。この構成により、隣接するドット罫同士が明確に区別され、ドット罫の個数を端から容易に数えることができる。さらに、罫と直交する方向におけるドット罫は同一の形状であるため、一方最端罫、他方最端罫または中間罫において同じ形状のドット罫に定規を当てることで、罫と直交する線を正確に引くことができる。
【００１６】
本考案に係るノートブックは、上記した用紙の罫が横罫である。したがって、ノートブックは、上記した用紙と同じ効果を奏することができる。
【図面の簡単な説明】
【００１７】
【図１】本考案の実施形態に係る用紙であって、本実施形態に係るノートブックの一ページが示された外観図である。
【図２】本考案の実施形態に係る用紙が拡大して示され、（Ａ）は図１におけるＡ部分拡大図、（Ｂ）は図１におけるＢ部分拡大図（Ｃ）は図１におけるＣ部分拡大図である。
【考案を実施するための形態】
【００１８】
以下に、本考案の実施形態に係る用紙およびノートブックを図面に基づいて説明する。図１は、用紙２の外観であって、ノートブック１の一ページが示されている。図２は、用紙２の一部が拡大されて示されている。
【００１９】
図１に示されているとおり、用紙２は、複数の横罫５が上下方向に並べられて印刷され、かつ、方眼罫９が横罫５に重ねられて印刷されたことで、横罫５と方眼罫９とで形成された最小の升目１０が方眼である。詳説すれば、用紙２は、方眼を構成する四辺のうちの一辺が横罫５である升目１０が存在する。用紙２において、一方の最端である上端の横罫５が上端罫６であり、他方の最端である下端の横罫５が下端罫７であり、上端罫６と下端罫７との間にある複数の横罫５のうち、中間にある単一の横罫５が中間罫８である。上端罫６の外側の上方には、外側罫３が印刷され、この外側罫３の左端に、日付記載欄４が印刷されている。
【００２０】
方眼罫９は、横罫５よりも視認し難い暗線で構成されている。暗線は、視認することができるが視認し難く、例えば、横罫５よりも色や濃度が薄い線、太さが細い線、破線などである。したがって、暗線は、複写機ではほぼ認識されず、用紙２が複写機で複写された場合、暗線は視認されない、または視認され難い。すなわち、方眼罫９は、横罫５よりも目立たず、視認し難い線であれば、どのような線種であってもよい。
【００２１】
上端罫６、下端罫７および中間罫８は、横罫５を長手方向に等間隔に区切るドット罫が印刷されている。上端罫６のドット罫である上端ドット罫１１は、上端罫６から、外側である上方に印刷され、下端罫７のドット罫である下端ドット罫１２は、下端罫７から、外側である下方に印刷されている。また、中間罫８のドット罫である中間ドット罫１３は、中間罫８上に印刷されている。上端ドット罫１１、下端ドット罫１２および中間ドット罫１３は、横罫５と同じ線種である。中間ドット罫１３は、上端ドット罫１１および下端ドット罫１２よりも、視認し難いよう小さく形成されている。例えば、中間ドット罫１３は、上端ドット罫１１および下端ドット罫１２よりも太さが細く、短い。なお、各ドット罫１１，１２，１３は、上端罫６、下端罫７および中間罫８のみに印刷され、他の横罫５には印刷されていない。
【００２２】
横罫５が伸びる方向に隣接した各ドット罫１１，１２，１３の形状は、互いに異なる。すなわち、図２に示されているとおり、上端第一ドット罫１１ａと上端第二ドット罫１１ｂとは、互いに異なる形状であり、上端第一ドット罫１１ａと、上端第三ドット罫１１ｃとは、同じ形状である。詳説すれば、上端第一ドット罫１１ａおよび上端第三ドット罫１１ｃは、丸い点であり、上端第二ドット罫１１ｂは、短い直線である。中間ドット罫８および下端ドット罫７も同様である。なお、上端第一ドット罫１１ａ、上端第二ドット罫１１ｂおよび上端第三ドット罫１１ｃが、互いに異なる形状であってもよい。また、各ドット罫１１，１２，１３の形状は、例えば、丸、四角、菱形、三角、短い直線などであり、任意である。
【００２３】
また、横罫５と直交する縦方向における各ドット罫１１，１２，１３の形状は、同一である。すなわち、上端第一ドット罫１１ａ、中間第一ドット罫１３ａおよび下端第一ドット罫１２ａは、同じ形状であり、上端第二ドット罫１１ｂ、中間第二ドット罫１３ｂおよび下端第二ドット罫１２ｂは、同じ形状である。
【００２４】
上記のとおり形成された用紙２は、例えば、糸綴じ、無線綴じ、中綴じ、リング綴じなどによって製本される。また、サイズは、Ａ４版、Ｂ５版が主流であり、例えば、Ａ４版のＡ罫７ｍｍであれば、２．３ｍｍ方眼であり、Ｂ５版のＢ罫６ｍｍであれば、２ｍｍ方眼である。なお、サイズは任意であり、Ｃ罫５ｍｍなど他の規格サイズであってもよい。罫は、文字列を記載する方向が縦であれば、縦罫であってもよい。ノートブック１は、いわゆる大学ノートの他、例えば、学習帳、ルーズリーフ、手帳、日記、便箋などが含まれる。
【００２５】
以上のとおり、用紙２およびノートブック１が構成されている。次に本実施形態の効果を説明する。
【００２６】
上記したとおり、本実施形態によれば、横罫５よりも視認し難い暗線で構成された方眼罫９が複数の横罫５に重ねられて印刷されたことで、横罫５と方眼罫９とで形成された最小の升目１０が方眼である。すなわち、文字列を記載する場合、横罫５に沿って記載することで文字が一行に整列される。その際、方眼罫９が視認し難いため、方眼罫９を跨いで文字を記載しても視覚を遮ることがない。一方、図表を記載する場合、方眼罫９に沿って記載することで、横罫５を跨いで任意の位置に図表が描かれる。したがって、文字および図表を、いずれも綺麗に記載することができる。
【００２７】
本実施形態によれば、横罫５を等間隔に区切る各ドット罫１１，１２，１３が、上端罫６、下端罫７および中間罫８にそれぞれ印刷されている。すなわち、定規などを用いて、横罫５と直交する直線を引く場合、上端ドット罫１１と中間ドット罫１３、または、下端ドット罫１２と中間ドット罫１３に定規が当てられることで位置決めされ、用紙２に直線が描かれる。ここで、各ドット罫１１，１２と中間罫１３との間隔は、各ドット罫１１，１２同士の間隔よりも短い。そのため、一般的なペンケースに収容され、各ドット罫１１，１２同士の間隔よりも短い１００ｍｍ〜１５０ｍｍの定規を用いて、上端罫６と中間罫８との間、または、中間罫８と下端罫７との間に図表を描くことができる。
【００２８】
本実施形態によれば、各ドット罫１１，１２，１３は、上端罫６、下端罫７および中間罫８のみに印刷され、他の横罫５には印刷されていないため、各ドット罫１１，１２，１３が印刷されていない横罫５に文字列を記載する際、ドット罫によって遮られることがない。したがって、文字および図表を記載しやすくすることができる。
【００２９】
本実施形態によれば、横罫５が伸びる方向に隣接した上端ドット罫１１ａ，１１ｂの形状が互いに異なり、かつ、横罫５と直交する縦方向における各ドット罫１１ａ，１２ａ，１３ａの形状が同一である。この構成により、各ドット罫１１，１２，１３において、隣接するドット罫同士が明確に区別され、各ドット罫１１，１２，１３の個数を端から容易に数えることができる。さらに、横罫５と直交する方向における各ドット罫１１ａ，１２ａ，１３ａは同一の形状であるため、上端罫６、下端罫７または中間罫８において同じ形状の各ドット罫１１，１２，１３に定規を当てることで、横罫５と直交する線を正確に引くことができる。
【００３０】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００３１】
１                ノートブック
２                用紙
３                外側罫
４                日付記載欄
５                横罫（罫）
６                上端罫
７                下端罫
８                中間罫
９                方眼罫
１０              升目
１１ａ〜ｃ        上端ドット罫（ドット罫）
１２ａ〜ｂ        下端ドット罫（ドット罫）
１３ａ〜ｂ        中間ドット罫（ドット罫）
【図１】
0003213473.tif 000003
【図２】
0003213473.tif 000004